(57)【要約】【課題】取付け作業が容易であり、長期に把持力を維持できる光ファイバセンサ用光ファイバケ−ブル固定治具【解決手段】本発明の光ファイバセンサ用光ファイバケ−ブル固定治具は、軸方向に切欠１を備えた中空ボルト２と、該ボルト２の中空部に装着される両端にテ−パ部３を備えた上、下把持部材４と、該把持部材４のテ−パ部３と中空ボルト２の内壁面５の間に嵌入し、前記把持部材４を押圧する楔駒６と、軸方向に一条の切欠１’を備え、中空ボルト２に螺合し、楔駒６を前記把持部材４のテ−パ部３と中空ボルト２の内壁面５の間に進退させるナット７とから構成されている。【選択図】 図２
2006266857.tif 000002
【特許請求の範囲】
【請求項１】
軸方向に一条の切欠（１）を備えた中空ボルト（２）と、該ボルト（２）の中空部に装着される両端にテ−パ部（３，３，３，３）を備えた、断面略蒲鉾状の上、下把持部材（４，４）と、該把持部材（４，４）の前記テ−パ部（３，３，３，３）と前記中空ボルト（２）の内壁面（５）の間に嵌入し、前記把持部材（４，４）を押圧する楔駒（６，６，６，６）と、軸方向に一条の切欠（１’）を備え、前記中空ボルト（２）に螺合し、前記楔駒（６，６，６，６）を前記把持部材（４，４）の前記テ−パ部（３，３，３，３）と前記中空ボルト（２）の内壁面（５）の間に進退させるナット（７，７）とからなることを特徴とする光ファイバセンサ用光ファイバケ−ブル固定治具
【発明の詳細な説明】
【技術分野】
【０００１】
本発明は、光ファイバセンサ用光ファイバケ−ブル固定治具に関するものである。
【背景技術】
【０００２】
従来知られている光ファイバセンサ用光ファイバケ−ブル固定治具（例えば、特許文献１参照。）は、複数個の把持突起を内設した半筒状部材のケ−ブル収納穴に光ファイバケ−ブルを装着したのち、別の半筒状部材を合体させて筒状にに成形することにより、光ファイバケ−ブルのシ−スに前記複数の把持突起を当接させ、光ファイバケ−ブルの滑りをなくし、光ファイバケ−ブルを固定するように構成されているので、次のような問題点があった。
【０００３】
（１）長期の使用中に、冬期、夏期等の温度差に起因する膨張、収縮を反復して受けると、把持突起の把持力が低減し、光ファイバケ−ブルが滑るおそれがある。
（２）前記半筒状部材を合体させると、解体が難しく、再使用が不可能である。
（３）光ファイバケ−ブルへの装着作業に手間がかかる。
【０００４】
【特許文献１】特開２００２−４８６７５号公報
【発明の開示】
【発明が解決しようとする課題】
【０００５】
この発明は、背景技術で記述した問題点を解消するためになされたもので、取付け作業が簡単であり、長期に把持力を維持できる光ファイバセンサ用光ファイバケ−ブル固定治具の提供を目的とするものである。
【課題を解決するための手段】
【０００６】
この発明の光ファイバセンサ用光ファイバケ−ブル固定治具は、軸方向に一条の切欠を備えた中空ボルトと、該ボルトの中空部に装着され、両端にテ−パ部を備えた、断面略蒲鉾状の上、下把持部材と、該把持部材の前記テ−パ部と前記中空ボルトの内壁面の間に嵌入し、前記把持部材を押圧する楔駒と、軸方向に一条の切欠を備え、前記中空ボルトに螺合し、前記楔駒を前記把持部材の前記テ−パ部と前記中空ボルトの内壁面の間に進退させるナットとからなることを特徴とするものである。
【発明の効果】
【０００７】
この発明は上述のように構成されているので、次のような効果を奏する。
（１）楔方式による把持であるので、常に締まり勝手になり、長期の使用中に、冬期、夏期等の温度差に起因する膨張、収縮を反復して受けても、光ファイバケ−ブルの滑りを防止できる。
（２）ナットを弛めることにより簡単に解体できるので、再使用が可能である。
（３）ナットを締め付けるだけで光ファイバケ−ブルの把持ができるので、取付け作業が容易である。
（４）再使用が可能であるので、資源の節減になる。
【発明を実施するための最良の形態】
【０００８】
取付け作業が容易であり、長期に把持力の維持ができる、光ファイバセンサ用光ファイバケ−ブル固定治具の提供という目的を、光ファイバケ−ブルの把持に楔方式を採用することにより実現できた。
【実施例】
【０００９】
この発明の実施の形態の一例を図面を参照しながら説明する。図１〜図２に示すように、中空ボルト２は、軸方向に一条の切欠１を備えている。張架された光ファイバセンサ用光ファイバケ−ブル８は、切欠１から中空ボルト２内に装着できるようになっている。
【００１０】
上、下把持部４，４は、図２に示すように、中空ボルト１の中空部に装着され、両端にテ−パ部３，３，３，３を備えた断面略蒲鉾状に成形されている。なお、図２は、図１における縦断面図である。
【００１１】
図２において、ｃ，ｃは、上、下把持部材４，４の左右方向への移動を拘束するためのビスで、中空ボルト２に穿設したネジ穴ａに螺着され、上、下把持部材４，４に穿設した穴ｂに緩挿されている。したがって、ビスｃ，ｃによって、上、下把持部材４，４の左右方向への移動は拘束されるが、上、把持部材４，４の上下移動は可能になっている。
【００１２】
楔駒６，６，６，６は、図２に示すように、上、下把持部材４，４のテ−パ部３，３，３，３と中空ボルト２の内壁面５の間に嵌入し、上、下把持部材４，４を押圧するように成形されている。
【００１３】
したがって、中空ボルト２の切欠１から挿入され、上、下把持部材４，４間に装着された光ファイバセンサ用光ファイバケ−ブル８は、楔駒６，６，６，６を把持部材４，４のテ−パ部３，３，３，３と中空ボルト２の内壁面５の間に嵌入させると、上、下把持部材４，４間に把持され、左右方向の移動が拘束されるようになっている。
【００１４】
なお、上、下把持部材４，４は、図示は省略したバネ力によって、常時開くように付勢され、光ファイバセンサ用光ファイバケ−ブル８の挿入を妨げないようになっている。
【００１５】
ナット７，７は、図１〜図２に示すように、軸方向に一条の切欠１’、１’を備え、中空ボルト２に螺合し、楔駒６，６，６，６を上、下把持部材４，４のテ−パ部３，３，３，３と中空ボルト２の内壁面５の間に進退可能に構成されている。
【００１６】
したがって、ナット７，７を締めると、楔駒６，６，６，６は、上、下把持部材４，４のテ−パ部３，３，３，３と中空ボルト２の内壁面５の間に進入し、上、下把持部材４，４を押圧し、光ファイバセンサ用光ファイバケ−ブル８を上、下把持部材４，４間に把持し、ナット７，７を弛めると、楔駒６，６，６，６は上、下把持部材４，４のテ−パ部３，３，３，３と中空ボルト２の内壁面５の間から後退し、上、下把持部材４，４を開き、光ファイバセンサ用光ファイバケ−ブル８を上、下把持部材４，４間から逃がすようになっている。
【００１７】
なお、図２において、左側の楔駒６，６及び右側の楔駒６，６は、図示は省略したバネ力によって、常時開くように付勢され、光ファイバセンサ用光ファイバケ−ブル８の挿入を妨げないようになっている。
【００１８】
なお、本願の光ファイバセンサ用光ファイバケ−ブル固定治具を、岩盤やトンネル等のコンクリ−ト構造壁に固定するには、特許文献１に開示された手法と同様に、岩盤やトンネル等のコンクリ−ト構造壁に固定した治具受け具に、該光ファイバセンサ用光ファイバケ−ブル固定治具を装着し、締め付けナットで前記治具受け具に固定する。
【産業上の利用可能性】
【００１９】
長期把持力維持が可能であり、かつ再利用が可能な光ファイバセンサ用光ファイバケ−ブル固定治具として利用できる。
【図面の簡単な説明】
【００２０】
【図１】本発明の一実施例を示す概略正面図
【図２】図１における縦断面図
【符号の説明】
【００２１】
１，１’ 切欠
２ 中空ボルト
３ テ−パ部
４ 上、下把持部材
５ 中空ボルトの内壁面
６ 楔駒
７ ナット
８ 光ファイバセンサ用光ファイバケ−ブル
ａ ネジ穴
ｂ 穴
ｃ ビス
【図１】
2006266857.tif 000003
【図２】
2006266857.tif 000004